(57)【特許請求の範囲】
【請求項１】
ネットワークに接続された画像処理装置に於いて、
前記画像処理装置の識別情報と、自情報の有効性又は無効性に関する情報と、を含む認証情報を作成する認証情報作成部と、
前記認証情報を表示する表示部と、
前記認証情報作成部に前記認証情報の再作成を指示する認証情報再作成指示部と、
前記ネットワークからの接続を受けたときに、前記認証情報に含まれる当該認証情報の有効性又は無効性に関する情報に基き、前記ネットワークからの接続の受け入れを判断し、応答情報を作成し接続先に送信する接続応答部とを備え、
前記認証情報再作成指示部は、１つの認証情報作成指示に基づき第１所定間隔で複数の認証情報を前記認証情報作成部に作成させ、
前記認証情報作成部が作成する当該認証情報は、前記画像処理装置へのアクセス情報が含まれ、該アクセス情報は複数の認証情報のそれぞれにおいて異なっていること
を特徴とする画像処理装置。
【請求項２】
前記アクセス情報とは、前記画像処理装置のＵＲＬであること
を特徴とする請求項１に記載の画像処理装置。
【請求項３】
前記表示部は、前記認証情報を二次元コードにより表示すること
を特徴とする請求項１に記載の画像処理装置。
【請求項４】
前記識別情報は、ネットワーク上のＩＰアドレスと乱数の組合せにより生成されること
を特徴とする請求項１に記載の画像処理装置。
【請求項５】
前記認証情報作成部により新たな認証情報が作成されると、新たな認証情報により表示部の表示が更新されること
を特徴とする請求項１に記載の画像処理装置。
【請求項６】
１つの認証情報の有効期間は、前記第１所定間隔よりも長い第２所定間隔であること
を特徴とする請求項１に記載の画像処理装置。
【請求項７】
前記認証情報作成部により作成されたそれぞれの認証情報は記憶され、記憶された認証情報のいずれかによりアクセスされると、接続応答部は、そのアクセスを有効とすること
を特徴とする請求項１に記載の画像処理装置。
【請求項８】
前記接続応答部によりアクセスが不可と判断されると、認証情報の再作成を指示可能なデータを送信すること
を特徴とする請求項１に記載の画像処理装置。
【請求項９】
前記認証情報作成部は、画像処理装置の状態が変化すると、新たな認証情報を作成すること
を特徴とする請求項１に記載の画像処理装置。
【請求項１０】
前記識別情報の有効性又は無効性に関する情報は前記認証情報の有効期限を表すこと
を特徴とする請求項１乃至９のいずれかに記載の画像処理装置。
【請求項１１】
前記認証情報再作成指示部は、所定時間間隔で前記認証情報作成部に前記認証情報の再作成を指示すること
を特徴とする請求項１乃至１０のいずれかに記載の画像処理装置。
【請求項１２】
前記認証情報再作成指示部は、前記認証情報の有効期限が近くなると前記認証情報作成部に前記認証情報の再作成を指示すること
を特徴とする請求項１乃至１１のいずれかに記載の画像処理装置。
【請求項１３】
画像情報を保存する画像情報保存部を更に有し、
前記接続応答部は、前記画像情報保存部に保存された前記画像情報と、前記画像情報への処理を選択する選択画面を前記応答情報として作成すること
を特徴とする請求項１乃至１２のいずれかに記載の画像処理装置。
【請求項１４】
前記接続応答部は、前記選択画面からに基づく利用者からの指示により、前記画像情報保存部に保存された前記画像情報に対する処理を行うこと
を特徴とする請求項１３に記載の画像処理装置。
【請求項１５】
前記接続応答部は、前記画像情報保存部に保存された前記画像情報を削除すること
を特徴とする請求項１４に記載の画像処理装置。
【請求項１６】
前記画像情報の画像形成を行う画像形成部を更に有し、
前記接続応答部は、前記画像情報保存部に保存された前記画像情報を前記画像形成部により画像形成すること
を特徴とする請求項１５に記載の画像処理装置。
【請求項１７】
請求項１乃至１６のいずれかに記載の画像処理装置と携帯端末とが前記ネットワークを通じて接続された画像形成システムであって、
前記携帯端末は、
前記画像処理装置の前記表示部に表示された前記認証情報を取得する認証情報取得部と、
前記認証情報に基づき、前記画像処理装置の前記接続応答部へ接続を行う接続部とを有すること、
を特徴とする画像処理システム。
【請求項１８】
前記携帯端末は、利用者とのユーザインタフェースである携帯操作部を更に有し、
前記接続部は、前記画像処理装置の前記接続応答部が作成した選択画面を前記携帯操作部に表示すると共に、利用者からの指示を受け付け、前記接続応答部へと送信すること
を特徴とする請求項１７に記載の画像処理システム。
【請求項１９】
前記画像処理装置は、
前記認証情報と、前記画像処理装置の状態情報と、を含む認証状態情報を作成し、前記表示部に表示させる認証状態情報作成部と、
前記画像処理装置の状態変化を検出すると、前記認証状態情報作成部に認証状態情報の再作成を指示する装置状態変化検出部と、を更に有し、
前記携帯端末は、
前記表示部に表示された前記認証状態情報を取得し、前記状態情報に基づき携帯操作部に前記画像処理装置の状態を表示させ、利用者へ前記画像処理装置の状態を通知する認証状態情報取得部を更に有すること
を特徴とする請求項１７又は１８に記載の画像処理システム。
【請求項２０】
前記状態情報とは、画像形成部の動作の可能ないしは不可能状態を表すこと
を特徴とする請求項１９に記載の画像処理システム。
【請求項２１】
ネットワークに接続された画像処理装置に於いて、
前記画像処理装置の識別情報を含む認証情報を作成する認証情報作成部と、
前記認証情報作成部に前記認証情報の再作成を指示する認証情報再作成指示部と、
前記ネットワークからの接続を受けたときに、前記認証情報に基き、前記ネットワークからの接続の受け入れを判断し、応答情報を作成し接続先に送信する接続応答部とを備え、
前記認証情報再作成指示部は、１つの認証情報作成指示に基づき所定間隔で複数の認証情報を前記認証情報作成部に作成させ、
前記認証情報作成部が作成する当該認証情報は、前記画像処理装置へのアクセス情報が含まれ、該アクセス情報は複数の認証情報のそれぞれにおいて異なっていること
を特徴とする画像処理装置。
【発明の詳細な説明】
【技術分野】
【０００１】
本発明は、画像処理装置、及び当該画像処理装置に保存された認証印刷データを携帯端末で操作する画像処理システムに関するものである。
【背景技術】
【０００２】
従来、画像処理装置に保存された認証印刷データを携帯端末で操作する画像処理システムについて種々の技術が提案されている。例えば、特許文献１では、以下の内容が開示されている。即ち、同技術では、ユーザがプリンタに備えられたボタン等を押すと、プリンタは認証用情報を作成し、操作パネルに表示する。認証用情報には、認証サーバのアドレスと、使用許可情報（例えば、時刻情報）を含む。ユーザは、認証情報を携帯端末のカメラで撮影し、認証サーバのアドレスを取得し、認証サーバに対してデータを送信する。認証サーバは、データを送信した携帯端末が有効であることを確認すると、プリンタに対して使用許可情報を送信する。プリンタは、使用許可情報が送られてくると、それが有効期限内であるのかを確認し、有効であればユーザにプリンタの使用を許可する。
【先行技術文献】
【特許文献】
【０００３】
【特許文献１】特開２００６−３１３６８号公報
【発明の概要】
【発明が解決しようとする課題】
【０００４】
しかしながら、従来の技術では、ユーザが認証情報の取得後にプリンタから離れ、さらに、プリンタにアクセスを行うことがあり、ユーザがプリンタの近傍にいることを保証することができないという問題点があった。
【０００５】
そこで、本発明は上述の技術的な課題に鑑み、携帯端末に常に最新の認証情報を取得させることにより、認証情報の有効期限を短くすることができるため、ユーザがプリンタの近傍にいることを保証することができる画像処理装置及び画像処理システムを提供することを目的とする。
【課題を解決するための手段】
【０００６】
上記技術的な課題を解決するため、本発明の一の態様に係る画像処理装置は、ネットワークに接続された画像処理装置に於いて、前記画像処理装置の識別情報と、自情報の有効性又は無効性に関する情報と、を含む認証情報を作成する認証情報作成部と、前記認証情報を表示する表示部と、前記認証情報作成部に前記認証情報の再作成を指示する認証情報再作成指示部と、前記ネットワークからの接続を受けたときに、前記認証情報に含まれる当該認証情報の有効性又は無効性に関する情報に基き、前記ネットワークからの接続の受け入れを判断し、応答情報を作成し接続先に送信する接続応答部とを備え、前記認証情報作成指示部は、１つの認証情報作成指示に基づき第１所定間隔で複数の認証情報を前記認証情報作成部に作成させ、前記認証情報作成部が作成する当該認証情報は、前記画像処理装置へのアクセス情報が含まれ、該アクセス情報は複数の認証情報のそれぞれにおいて異なっていることを特徴としている。
さらに、本発明の画像処理装置の他の態様は、ネットワークに接続された画像処理装置に於いて、前記画像処理装置の識別情報を含む認証情報を作成する認証情報作成部と、前記認証情報作成部に前記認証情報の再作成を指示する認証情報再作成指示部と、前記ネットワークからの接続を受けたときに、前記認証情報に基づき、前記ネットワークからの接続の受け入れを判断し、応答情報を作成し接続先に送信する接続応答部とを備え、前記認証情報作成指示部は、１つの認証情報作成指示に基づき所定間隔で複数の認証情報を前記認証情報作成部に作成させ、前記認証情報作成部が作成する当該認証情報は、前記画像処理装置へのアクセス情報が含まれ、該アクセス情報は複数の認証情報のそれぞれにおいて異なっていることを特徴としている。
【発明の効果】
【０００７】
本発明に係る画像処理装置及び画像処理システムによれば、携帯端末に常に最新の認証情報を取得させることにより、認証情報の有効期限を短くすることができるため、ユーザがプリンタの近傍にいることを保証することが可能となる。
【図面の簡単な説明】
【０００８】
【図１】本発明の第１の実施形態に係る画像処理装置及び画像処理システムの構成を示すブロック図である。
【図２】本発明の第１の実施形態に係る画像処理装置による認証情報作成の動作を示すフローチャートである。
【図３】認証情報保存部に保存された認証情報の例を示す図である。
【図４】オペレーションパネルへの認証情報の表示例を示す図である。
【図５】本発明の第１の実施形態に係る画像処理システムによる、携帯端末の認証情報取得部とプリンタの接続応答部の動作を示すフローチャートである。
【図６】本発明の第１の実施形態に係る画像処理システムによる、携帯端末を利用した印刷データの処理の動作を示すフローチャートである。
【図７】携帯操作部に表示される接続確認画面の一例を示す図である。
【図８】携帯操作部に表示されるユーザ情報入力画面の一例を示す図である。
【図９】携帯操作部に表示される印刷データ処理選択画面の一例を示す図である。
【図１０】本発明の第２の実施形態に係る画像処理装置及び画像処理システムの構成を示すブロック図である。
【図１１】本発明の第２の実施形態に係る画像処理装置による認証情報作成の動作を示すフローチャートである。
【図１２】本発明の第２の実施形態に係る画像処理システムによる、携帯端末の認証情報取得部とプリンタの接続応答部の動作を示すフローチャートである。
【図１３】携帯操作部に表示される警告画面の一例を示す図である。
【発明を実施するための形態】
【０００９】
以下、本発明の画像処理装置及び画像処理システムに係る好適な実施形態について図面を参照しながら説明する。なお、本発明の画像処理装置及び画像処理システムは、以下の記述に限定されるものではなく、本発明の要旨を逸脱しない範囲において、適宜変更可能であることは勿論である。
【００１０】
図１には、本発明第１の実施形態に係る画像処理装置及び画像処理システムの構成を表すブロック図を示し説明する。
【００１１】
同図に示されるように、本発明第１の実施形態における画像処理システムは、画像処理装置としてのプリンタ１００と、携帯端末２００とが、ネットワークを介して通信自在に接続され、構成されている。
【００１２】
プリンタ１００は、ネットワークを通して送信される画像情報としての印刷データを受信し印刷を行う装置である。プリンタ１００は、画像情報保存部としての認証印刷データ保存部１０１と、画像形成部としての印刷部１０２と、認証情報作成部１０３と、認証情報再作成指示部１０４と、表示部としてのオペレーションパネル１０５と、認証情報保存部１０６と、接続応答部１０７とにより構成される。
【００１３】
携帯端末２００は、ユーザにより持ち運びが可能な装置である。携帯端末２００は、認証情報取得部２０１と、接続部２０２と、携帯操作部２０３とにより構成される。
【００１４】
以下、プリンタ１００の構成を更に詳細に説明する。
【００１５】
認証印刷データ保存部１０１は、ネットワークを通してプリンタ１００が受信した認証印刷データを保存する。認証印刷データには、認証印刷データを作成したユーザのＩＤとパスワードとが少なくとも付加されている。認証印刷データ保存部１０１に保存された認証印刷データは、プリンタ１００のオペレーションパネル１０５等により、認証が行われることにより印刷部１０２に送られ、当該認証印刷データに基づく印刷がなされる。認証印刷データ以外の印刷データは、プリンタ１００により受信されると直ぐに印刷部１０２に送られ、当該印刷データに基づく印刷がなされる。
【００１６】
印刷部１０２は、印刷データのラスタライズ化を行い、例えば電子写真プリンタの場合には、感光ドラム上に静電潜像を形成し、その静電潜像をトナーにより記録紙に写し取ることで印刷を行う。プリンタは、画像を色のついたピクセルを縦横に並べた集合として扱うため、ベクタ形式の情報をそのまま印刷したり表示したりすることはできないため、ベクタ形式の情報を展開して、点の集まりに変換するラスタライズを行うのである。
【００１７】
認証情報作成部１０３は、認証情報を作成し、オペレーションパネル１０５に表示すると共に、当該認証情報を認証情報保存部１０６に保存させる。認証情報は、プリンタ１００の識別情報と、その認証情報の有効性を示す情報により構成される。本実施形態において、識別情報は、ネットワーク上の識別情報（例えばIP（Internet Protocol）アドレス）と、乱数などの組合せにより生成される。認証情報の有効性を示す情報とは、その認証情報の有効期限を表す。
【００１８】
そして、認証情報再作成指示部１０４は、認証情報の再作成を認証情報作成部１０３に指示する。本実施例において、認証情報再作成指示部１０４は、所定時間間隔、即ち一定時間が経過する度に認証情報作成部１０３に認証情報の再作成を指示する。もしくは、認証情報作成部１０３が作成した認証情報の有効期限が近くなると認証情報作成部１０３に認証情報の再作成を指示する。但し、再作成指示のタイミングはこれに限定されない。
【００１９】
オペレーションパネル１０５は、ユーザとのユーザインタフェースである。オペレーションパネル１０５は、認証情報作成部１０３から認証情報を受け取り表示する。また、ユーザからの入力の受け付けも行う。本実施形態においては、オペレーションパネル１０５は、タッチパネルによりプリンタ１００に実装されている。
【００２０】
そして、認証情報保存部１０６は、認証情報作成部１０３が作成した認証情報を保存する。認証情報保存部１０６は、保存された認証情報の有効性がなくなるまで認証情報を保存する。本実施形態において、認証情報の有効性は認証情報の有効期限により定まる。そのため、認証情報はその有効期限と対応付けられて保存され、また、認証情報の有効期限の時刻になるとその認証情報は認証情報保存部１０６から削除される。
【００２１】
接続応答部１０７は、携帯端末２００の接続部２０２からの接続を受け付けると共にその接続の有効性を判断する。さらに、応答情報としての応答データを作成し、接続元へ送信することで応答を行う。有効性の判断は、認証情報保存部１０６に保存された認証情報に基づく。また、応答時には認証印刷データ保存部１０１に保存された認証印刷データの内容を読み取って応答のデータを作成する。また、接続応答部１０７は、接続部２０２からの指示により、認証印刷データ保存部１０１に保存された認証印刷データを印刷部１０２に送り、印刷を実行する。または、接続応答部１０７は、接続部２０２からの指示により、認証印刷データ保存部１０１に保存された認証印刷データの削除を行う。
【００２２】
即ち、接続応答部１０７は、画像情報保存部としての認証印刷データ保存部１０１に保存された画像情報としての認証印刷データと、当該認証印刷データへの処理を選択する選択画面を応答情報として作成する。さらに、接続応答部１０７は、選択画面に基づく利用者からの指示により、画像情報保存部としての認証印刷データ保存部１０１に保存された画像情報としての認証印刷データに対する処理を行う。さらに、接続応答部１０７は、画像情報保存部としての認証印刷データ保存部１０１に保存された認証印刷データを削除する。また、接続応答部１０７は、画像情報保存部としての認証印刷データ保存部１０１に保存された画像情報としての認証印刷データを画像形成部としての印刷部１０２により画像形成する。
【００２３】
次に携帯端末２００の構成を詳細に説明する。
【００２４】
認証情報取得部２０１は、プリンタ１００の表示部としてのオペレーションパネル１０５に表示された認証情報をカメラなどにより取得する。本実施形態において、オペレーションパネル１０５に表示される認証情報は二次元コードに変換されている。その為、認証情報取得部２０１は、カメラにより撮影した二次元コードをデータとしての認証情報に再変換することにより取得する。取得した認証情報は、接続部２０２に渡される。また、読み取り結果を携帯操作部２０３に表示してもよい。本実施形態において、認証情報取得部２０１は２次元コード読み取りアプリケーションとして実装されている。
【００２５】
接続部２０２は、認証情報取得部２０１が取得した認証情報を基に、プリンタ１００の接続応答部１０７に接続を行う。また、プリンタ１００の接続応答部１０７からの応答データを受信し、その応答データに基づき携帯操作部２０３の描画を行い、携帯操作部２０３を通してユーザからの入力を受け付ける。また、ユーザからの指示に基づき、再びプリンタ１００の接続応答部１０７に接続を行う。本実施形態において、接続部２０２は、Ｗｅｂブラウザとして実装されている。
【００２６】
携帯操作部２０３は、携帯端末２００の利用者とのユーザインタフェースである。描画によりユーザに情報を伝えると共に、タッチパネルを利用してユーザからの入力を受け付ける。接続部２０２は、画像処理装置としてのプリンタ１００の接続応答部１０７が作成した選択画面を携帯操作部２０３に表示すると共に、利用者からの指示を受け付け、接続応答部１０７に送信する。
【００２７】
プリンタ１００の認証情報作成部１０３、認証情報再作成指示部１０４、及び、接続応答部１０７は、プログラムとしてプリンタ１００に実装されている。これらのプログラムは、プリンタ１００のＲＯＭ等の不揮発性メモリに格納されていてもよいし、揮発性メモリに格納されていてもよいし、フラッシュメモリ等の不揮発性の書き換え可能な記憶装置に格納されていてもよく、また、ハードディスク等の磁気媒体に格納されていてもよい。
【００２８】
プリンタ１００の認証印刷データ保存部１０１、及び、認証情報保存部１０６の記憶部分は揮発性メモリやフラッシュメモリなどの不揮発性の書き換え可能な記憶装置として実装されている。また、ハードディスクとして実装されていてもよい。
【００２９】
プリンタ１００のオペレーションパネル１０５、及び、携帯端末２００の携帯操作部２０３の実装はタッチパネルとしているがこれに限るものではない。表示を行うディスプレイとメカニカルなキーの組み合わせであったとしても構わない。
【００３０】
携帯端末２００の認証情報取得部２０１、及び、接続部２０２はプログラムとして携帯端末２００に実装されている。これらのプログラムは、携帯端末２００のＲＯＭ等の不揮発性メモリに格納されていてもよいし、揮発性メモリに格納されていてもよいし、フラッシュメモリなどの不揮発性の書き換え可能な記憶装置に格納されていても良く、また、ハードディスク等の磁気媒体に格納されていても良い。
【００３１】
本実施例において、携帯端末２００の認証情報取得部２０１と接続部２０２はそれぞれ別のプログラムとして実装されているがこれに限るものではない。認証情報取得部２０１と接続部２０２が一体となった携帯端末２００上のアプリケーションとして実装されていても構わないことは勿論である。
【００３２】
図２に、本発明の第１の実施形態における画像処理装置としてのプリンタ１００の認証情報作成部１０３、及び認証情報再作成指示部１０４が動作し、認証情報を作成し、更にオペレーションパネル１０５に認証情報を表示する動作を表すフローチャートを示す。
【００３３】
この動作は、プリンタ１００の起動直後から動作、もしくは、プリンタ１００のオペレーションパネル１０５を利用するユーザからの指示により動作を開始する。以下、それぞれのステップについて詳述する。
【００３４】
プリンタ１００の認証情報作成部１０３は、認証情報の作成を行う（Ｓ１０１）。ここで作成する認証情報には、少なくとも「ネットワーク上の識別情報」と、「認証情報の有効性を示す情報」とが含まれる。本実施形態において、「ネットワーク上の識別情報」とは、プリンタ１００のURL（Uniform Resource Locator）であり、例えば「http://192.168.0.1/ConfidentialPrint/1234567890」である。なお、この識別情報は、例えば時刻に基づく乱数などにより生成される。そのため、ある期間内に同じ識別情報が生成されることはない。「認証情報の有効性を示す情報」とは、本実施例に於いては有効期限を表し、例えば「20100601120020」である。これは、2010年6月1日12時00分20秒までこの認証情報が有効であることを示す。この有効期限は、現在時刻から一定の時間（例えば６０秒）経過した時刻である。
【００３５】
認証情報作成部１０３は、Ｓ１０１で作成した認証情報を、認証情報保存部１０６に保存する（Ｓ１０２）。図３に、本発明の第１の実施形態における認証情報保存部１０６に保存された認証情報の例を示す。認証情報保存部１０６には、認証情報に含まれる識別情報と、識別情報の有効期限が対応付けられて保存されている。
【００３６】
認証情報作成部１０３は、Ｓ１０１で作成した認証情報をオペレーションパネル１０５に表示する（Ｓ１０３）。ここで、認証情報は２次元コード化されオペレーションパネル１０５に表示される。
【００３７】
図４には、オペレーションパネル１０５に２次元コード化された認証情報を表示した場合の例を示す。オペレーションパネル１０５には、メニューボタン１１１と、２次元コード化された認証情報１１２が表示されている。ここでは、Ｓ１０１で作成した認証情報に含まれる識別情報と有効期限を組み合わせたＵＲＬを作成し、「http://192.168.0.1/ConfidentialPrint/1234567890?有効期限=2010/06/01_12:00:20」という文字列を２次元コード化している。なお、本実施形態に於いては認証情報を２次元コード化してオペレーションパネル１０５に表示しているがこれに限るものではない。数字や英字の羅列であっても構わない。また、認証情報に含まれる識別情報だけを２次元コード化して表示しても構わない。
【００３８】
続いて、認証情報作成部１０３は、終了指示があるのか否かを検出する（Ｓ１０４）。ここで、終了指示とは、ユーザがオペレーションパネル１０５のメニューボタン１１１を押下し、そのメニュー内から認証情報の表示を終了する項目を選ぶ、プリンタ１００の省電力状態になる、などである。終了指示があったのならば、Ｓ１０５の動作を、なければＳ１０７の動作を行う。プリンタ１００が省電力状態になった場合、ユーザがオペレーションパネル１０５で何らかの操作することにより再びＳ１０１から処理を開始する。
【００３９】
終了指示があったのならば（Ｓ１０４をＹｅｓに分岐）、認証情報作成部１０３は、オペレーションパネル１０５に表示されている２次元コード化した認証情報の表示を終了する（Ｓ１０５）。そして、認証情報作成部１０３は、認証情報保存部１０６に保存された認証情報を削除し（Ｓ１０６）、一連の処理を終了する。尚、本実施形態では、終了指示があれば認証情報保存部１０６から認証情報を削除しているが、認証情報の有効性がなくなるまで、即ち有効期限が切れるまで削除を中断しても構わない。
【００４０】
終了指示がなければ（Ｓ１０４をＮｏに分岐）、認証情報作成部１０３は、認証情報保存部１０６に保存された認証情報を調査し、その有効性を調査する（Ｓ１０７）。本実施形態では、有効性は時刻情報である。そのため、認証情報に対応付けられた有効期限の時刻が現在時刻よりも前なのかを調査する。有効期限が切れた認証情報があるのならば（Ｓ１０７をＹｅｓに分岐）、認証情報作成部１０３は、Ｓ１０７で有効期限が切れたと判断された認証情報を認証情報保存部１０６から削除する（Ｓ１０８）。
【００４１】
一方、有効期限が切れた認証情報がなければ（Ｓ１０７をＮｏに分岐）、或いはＳ１０８の後、認証情報再作成指示部１０４は、Ｓ１０１で認証情報作成部１０３が認証情報を作成してから一定時間（例えば５秒）経過したのかを判断する（Ｓ１０９）。そして、一定時間経過したのであればＳ１０１の動作を、経過していないのであればＳ１０４の動作を行う。もしくは、認証情報保存部１０６に保存された認証情報の有効期限が近くなるとＳ１０４の動作を行っても構わない。
【００４２】
以上のように、一定時間が経過する度に認証情報再作成指示部１０４の指示により、認証情報作成部１０３は認証情報の作成を行う。そのため、オペレーションパネル１０５に表示される認証情報は一定時間経過毎に変化する。
【００４３】
次に、図５には、本発明の第１の実施形態において、携帯端末２００の認証情報取得部２０１がオペレーションパネル１０５に表示された２次元コード化された認証情報１１２を取得し、プリンタ１００にアクセスする動作を表すフローチャートを示し説明する。このフローは、ユーザが例えば携帯端末２００を操作し、認証情報の読み取り指示を出すことにより動作を開始する。
【００４４】
携帯端末２００の認証情報取得部２０１は、携帯端末２００のカメラなどを利用し、プリンタ１００のオペレーションパネル１０５に表示された２次元コード化された認証情報１１２（図４）を取得する。取得した２次元コード化された認証情報１１２を、データとして認証情報に再変換する（Ｓ１２１）。
【００４５】
携帯端末２００の接続部２０２は、Ｓ１２１で取得した認証情報を基に、プリンタ１００の接続応答部１０７へとアクセスを行う（Ｓ１２２）。アクセス方法は、例えば認証情報に含まれるＵＲＬを利用し、HTTP(Hyper Text Transfer Protocol)によりアクセスを行うものとする。このとき、必要に応じてＵＲＬの引数により携帯端末２００からプリンタ１００へと情報を送信する。図４に示される認証情報を利用した場合、ＵＲＬは「http://192.168.0.1/ConfidentialPrint/1234567890?有効期限=2010/06/01_12:00:20」となる。本実施形態に於いては、認証情報に含まれる認証情報の有効期限についても送信しているが必ずしも必要ない。
【００４６】
プリンタ１００の接続応答部１０７は、アクセスを行った携帯端末２００の接続部２０２が送信した認証情報が有効であるのか判断する（Ｓ１２３）。接続部２０２からのアクセスに利用されたＵＲＬから識別情報を取り出し、認証情報保存部１０６に保存されている識別情報と一致する識別情報が存在するのかを判断する。存在するのならばアクセスは有効であるため、Ｓ１２４の動作を行う。存在しないのならば、アクセスは無効であるとしＳ１２５の動作を行う。
【００４７】
認証情報保存部１０６に保存されている識別情報と一致する識別情報が存在すると判断された場合には（Ｓ１２３をＹｅｓに分岐）、接続応答部１０７は、応答データの作成を行う（Ｓ１２４）。このとき、携帯端末２００から送信されたＵＲＬの引数に含まれる認証情報以外の情報を必要に応じて取り出し、応答データの作成を行う。
【００４８】
一方、認証情報保存部１０６に保存されている識別情報と一致する識別情報が存在しないと判断された場合には（Ｓ１２３をＮｏに分岐）、接続応答部１０７は、プリンタ１００のオペレーションパネル１０５に表示された認証情報の再取得を要求する応答データを作成する（Ｓ１２５）。このとき、携帯端末２００から送信されたＵＲＬの引数に含まれる認証情報以外の情報を応答データに格納してもよい。
【００４９】
接続応答部１０７は、Ｓ１２４、もしくはＳ１２５で作成した応答データを携帯端末２００の接続部２０２に送信する（Ｓ１２６）。
【００５０】
携帯端末２００の接続部２０２は、受信した応答データに認証情報の再取得の要求が含まれるのかを判断する（Ｓ１２７）。つまり、Ｓ１２５により作成された応答データなのかを判断する。再取得の要求が含まれないのならばＳ１２８の動作を行い、含まれるのならばＳ１２１の動作を行う。なお、Ｓ１２１の動作を行う際、応答データに含まれる情報を保持したままＳ１２１の動作を行い、その情報はＳ１２２により再びＵＲＬの引数としてプリンタ１００の接続応答部１０７へと送信しても良い。このとき、携帯操作部２０３に、二次元コード化された認証情報１１２の再取得を要求するメッセージを表示しても良い。なお、実装により応答データに含まれる認証情報の再取得の要求を取得できない場合は、応答データを元に携帯操作部２０３の表示を行い、一連の動作を終了する。このときの応答データには、携帯操作部２０３を介してユーザからの指示を受け付けるデータが含まれない。
【００５１】
携帯端末２００の接続部２０２は、プリンタ１００の接続応答部１０７が送信した応答データを基に、携帯操作部２０３に表示を行う（Ｓ１２８）。携帯端末２００の接続部２０２は、携帯操作部２０３によりユーザからの指示を受け付ける（Ｓ１２９）。
【００５２】
接続部２０２は、Ｓ１２８で受け付けたユーザの指示が終了指示であるか否かを判断する（Ｓ１３０）。終了指示であるのならば一連の動作を終了する。一方、終了指示でなければＳ１２２の動作を行い、再びプリンタ１００の接続応答部１０７にアクセスを行う。このとき、Ｓ１２９で受け付けたユーザからの指示を含むＵＲＬをＳ１２２で作成する。
【００５３】
以上のように、携帯端末２００の接続部２０２からプリンタ１００の接続応答部１０７にアクセスする度に認証情報の有効性を調査し、アクセスの可否を判断する。認証情報の有効性が無効となり、アクセスを拒否された場合、携帯端末２００の認証情報取得部２０１により、認証情報の再取得を行うことにより、動作を継続することができる。そのためユーザを常にプリンタ１００の近傍にとどまらせることができる。また、認証情報の再取得要求の際、ＵＲＬに含まれる引数を引き継ぐことにより、認証情報の再取得を行った場合でも、それまでの動作を継続することができる。
【００５４】
図６には、第１の実施形態において、携帯端末２００を利用し、ユーザがプリンタ１００の認証印刷データ保存部１０１に保存された認証印刷データの動作を行う場合の動作を表すフローチャートを示し説明する。この動作は、ユーザが携帯端末２００の認証情報取得部２０１を実装したアプリケーションを起動させると開始される。
【００５５】
認証情報取得部２０１は、携帯端末２００のカメラなどを利用して、ユーザにプリンタ１００のオペレーションパネル１０５に表示された２次元コード化された認証情報を読み取らせる（Ｓ１４１）。図７に、本実施形態に於いて、認証情報取得部２０１が認証情報を読み取った場合に携帯端末２００の携帯操作部２０３に表示される画面の例を示す。２１２には、読み取った２次元コード化された認証情報の内容が表示される。このとき、この認証情報の有効期限が表示される。ユーザが接続ボタン２１３を押下すると、読み取った認証情報が接続部２０２に渡され、プリンタ１００への接続が行われる。キャンセルボタン２１４を押下すると、一連の動作を終了させる。
【００５６】
携帯端末２００の接続部２０２は、Ｓ１４１で取得した認証情報を基に、プリンタ１００の接続応答部１０７へとアクセスを行う（Ｓ１４２）。図７に示される認証情報を利用した場合、ＵＲＬは「http://192.168.0.1/ConfidentialPrint/1234567890?有効期限=2010/06/01_12:00:20」となる。また、必要に応じて他の情報もＵＲＬの引数として送信する。
【００５７】
プリンタ１００の接続応答部１０７は、Ｓ１４２による接続を受け付け、アクセスを行った携帯端末２００の接続部２０２が送信した認証情報が有効であるのかを判断する。接続部２０２より送られたＵＲＬから識別情報を取り出し、認証情報保存部１０６に保存されている識別情報と比較し、一致する識別情報が認証情報保存部１０６に存在するのかを判断する。このフローでは、アクセスが有効であったと判断したものとする（Ｓ１４３）。
【００５８】
プリンタ１００の接続応答部１０７は、ユーザ情報入力画面を作成する応答データを作成する。本実施形態において、ユーザ情報とは、ユーザＩＤとパスワードである。更に作成した応答データを接続元の携帯端末２００の接続部２０２に送信する（Ｓ１４４）。
【００５９】
携帯端末２００の接続部２０２はＳ１４４で作成した応答データを受信する。更に、応答データを基に携帯操作部２０３にユーザ情報入力画面を表示し、ユーザからの入力を受け付ける。本実施形態では、ユーザ情報として「ユーザＩＤ」と「パスワード」を要求する（Ｓ１４５）。
【００６０】
図８に携帯操作部２０３に表示されるユーザ情報入力画面の一例を示す。ユーザ情報入力画面には、ユーザＩＤの入力欄２２１と、パスワードの入力欄２２２と、送信ボタン２２３と、クリアボタン２２４、キャンセルボタン２２５がある。ユーザがユーザＩＤの入力欄２２１と、パスワードの入力欄２２２にユーザＩＤとパスワードを入力し、送信ボタン２２３を押下すると、Ｓ１４６の動作を行う。ユーザが、クリアボタン２２４を押下すると入力欄に入力されたデータを削除し、キャンセルボタン２２５を押下すると一連の動作を終了させる。
【００６１】
携帯端末２００の接続部２０２は、Ｓ１４５でユーザが入力したユーザＩＤとパスワードと、認証情報をプリンタ１００の接続応答部１０７に送信する（Ｓ１４６）。ここで、ユーザＩＤとパスワードと認証情報は、ＵＲＬの引数としてプリンタ１００の接続応答部１０７へと送信される。例えば、ＵＲＬは「http://192.168.0.1/ComfidentialPrint/1234567890?有効期限=2010/06/01_12:00:20&USERID=username&PASSWORD=abcd1234」となる。この例では、ユーザＩＤが「username」、パスワードが「abcd1234」である。なお、ユーザＩＤとパスワードは、暗号化してＵＲＬの引数としても構わない。
【００６２】
プリンタ１００の接続応答部１０７は、Ｓ１４６による接続を受け受け、アクセスを行った携帯端末２００の接続部２０２が送信した認証情報が有効であるのかを調査し、有効であるなら、ユーザＩＤとパスワードを取得する。さらに、認証印刷データ保存部１０１に保存された認証印刷データを調査し、取得されたユーザＩＤ及びパスワードと一致するユーザＩＤ及びパスワードが設定されている認証印刷データを選択する。ここで、選択される認証印刷データが複数となっても構わない（Ｓ１４７）。
【００６３】
続いて、プリンタ１００の接続応答部１０７は、Ｓ１４７で選択された認証印刷データの処理をユーザに選択させる認証印刷データ処理選択画面を作成する応答データを作成する。更に作成した応答データを接続元の携帯端末２００の接続部２０２に送信する（Ｓ１４８）。
【００６４】
携帯端末２００の接続部２０２はＳ１４８で作成した応答データを受信する。さらに、応答データを基に携帯操作部２０３に認証印刷データ処理選択画面を表示し、ユーザからの入力を受け付ける。本実施形態では、処理を行う認証印刷データの選択と、選択された認証印刷データに対する処理の選択を要求する（Ｓ１４９）。
【００６５】
図９に携帯操作部２０３に表示される認証印刷データ処理選択画面の例を示す。すなわち、この認証印刷データ処理選択画面には、選択可能な認証印刷データの一覧（２３１〜２３３）と、スクロールバー２３４と、印刷ボタン２３５と、削除ボタン２３６と、キャンセルボタン２３７がある。この画面では、ユーザは処理対象としたい認証印刷データを一覧から選択し、選択された認証印刷データに対する処理を印刷ボタン２３５、もしくは削除ボタン２３６を押下することにより選択する。ユーザが認証印刷データの一覧から一つ以上の認証印刷データを選択し、印刷ボタン２３５、もしくは、削除ボタン２３６を押下すると、Ｓ１５０の動作を行う。ユーザがキャンセルボタン２３５を押下すると一連の動作を終了させる。
【００６６】
続いて、携帯端末２００の接続部２０２は、Ｓ１４９でユーザが選択された認証印刷データと、ユーザが選択した処理と、認証情報をプリンタ１００の接続応答部１０７に送信する。ここで、ユーザが選択した認証印刷データと処理と認証情報は、ＵＲＬの引数としてプリンタ１００の接続応答部１０７へと送信される（Ｓ１５０）。例えば、ＵＲＬは「http://192.168.0.1/ComfidentialPrint/1234567890?有効期限=2010/06/01_12:00:20&DATA=1,3?ACTION=PRINT」となる。この例では、ユーザは１番目と３番目に表示される認証印刷データ（２３１及び２３３）を選択し、さらに、印刷ボタン２３５を選択している。なお、選択した認証印刷データと選択された処理を表す文字列は、暗号化してＵＲＬの引数としても構わない。
【００６７】
プリンタ１００の接続応答部１０７は、Ｓ１５０による接続を受け付け、アクセスを行った携帯端末２００の接続部２０２が送信した認証情報が有効であるのか判断し、有効であるなら、ユーザが選択した認証印刷データに対して、選択された処理を実行する（Ｓ１５１）。即ち、Ｓ１４９でユーザが「印刷」を選択した場合、認証印刷データ保存部１０１から認証印刷データを取り出し印刷部１０２へ送り、印刷指示を行う。また、認証印刷データ保存部１０１から印刷した認証印刷データを削除する。Ｓ１４９でユーザが「削除」を選択した場合、認証印刷データ保存部１０１から認証印刷データを削除する。さらに、Ｓ１４７に戻り、処理を継続する。
【００６８】
以上のように、ユーザは、携帯端末２００の認証情報取得部２０１により、プリンタ１００のオペレーションパネル１０５に表示された認証情報を取得することで、携帯端末２００の携帯操作部２０３からプリンタ１００に保存されている認証印刷データの一覧を取得することができる。さらに、認証印刷データの一覧から処理対象となる認証印刷データを選択し、さらに、処理を選択することにより、認証印刷データの印刷、もしくは、削除を行うことができる。
【００６９】
本発明の第１の実施形態によれば、ネットワークに接続された画像処理装置としてのプリンタ１００において、画像処理装置の識別情報と、該識別情報の有効性又は無効性に関する情報と、を含む認証情報を作成する認証情報作成部１０３と、認証情報を表示する表示部としてのオペレーションパネル１０５と、認証情報作成部１０３に認証情報の再作成を指示する認証情報再作成指示部１０４と、ネットワークからの接続を受けたときに、認証情報に含まれる認証情報の有効性又は無効性に関する情報に基づき、携帯端末２００からの接続の受け入れを判断し、応答情報を作成し接続先に送信する接続応答部１０７とを備えることを特徴とする画像処理装置が提供される。
【００７０】
ここで、表示部としてのオペレーションパネル１０５は、認証情報を二次元コードにより表示することとしてよい。識別情報は、ネットワーク上のＩＰアドレスと乱数の組合せにより生成されることとしてよい。識別情報の有効性又は無効性に関する情報は認証情報の有効期限を表す。認証情報再作成指示部１０４は、所定時間間隔で認証情報作成部に前記認証情報の再作成を指示することとしてよい。認証情報再作成指示部１０４は、認証情報の有効期限が近くなると認証情報作成部１０３に認証情報の再作成を指示することとしてよい。画像情報としての認証印刷データを保存する画像情報保存部としての認証印刷データ保存部１０１を更に有し、接続応答部１０７は、画像情報保存部に保存された前記画像情報と、前記画像情報への処理を選択する選択画面を前記応答情報として作成することとしてよい。接続応答部１０７は、選択画面からに基づく利用者からの指示により、画像情報保存部に保存された前記画像情報に対する処理を行うこととしてよい。また、接続応答部１０７は、画像情報保存部としての認証印刷データ保存部１０１に保存された前記画像情報を削除することとしてよい。また、画像情報としての認証印刷データの画像形成を行う画像形成部としての印刷部１０２を更に有し、接続応答部１０７は、画像情報保存部としての認証印刷データ保存部１０１に保存された画像情報を画像形成部により画像形成することとしてよい。
【００７１】
さらに、上記構成の画像処理装置としてのプリンタ１００と携帯端末２００とが前記ネットワークを通じて接続された画像形成システムであって、携帯端末２００は、画像処理装置の表示部としてのオペレーションパネル１０５に表示された認証情報を取得する認証情報取得部２０１と、認証情報に基づき、画像処理装置としてのプリンタ１００の接続応答部１０７へ接続を行う接続部２０２とを有することを特徴とする画像処理システムが提供される。
【００７２】
ここで、携帯端末２００は、利用者とのユーザインタフェースである携帯操作部２０３を更に有し、接続部２０２は、画像処理装置としてのプリンタ１００の接続応答部１０７が作成した選択画面を携帯操作部２０３に表示すると共に、利用者からの指示を受け付け、接続応答部１０７へと送信することとしてよい。
【００７３】
以上詳細に説明したとおり、本発明の第１の実施形態によれば、一定時間毎にオペレーションパネル１０５に表示させる認証情報を変更し、また、認証情報保存部１０６に一定数の認証情報を保持する。また、携帯端末２００で認証情報を取得し、プリンタ１００に認証情報を送信することによりアクセスを行った場合、プリンタ１００は認証情報保存部１０６に保存された認証情報と送信された認証情報とを比較することにより認証情報の有効性を判断するため、携帯端末２００に常に最新の認証情報を取得させることにより、認証情報の有効期限を短くすることができるため、ユーザがプリンタ１００の近傍にいることを保証することができるという効果がある。
【００７４】
（第２の実施形態）
【００７５】
図１０には、本発明の第２の実施形態に係る画像処理装置及び画像処理システムの構成を表すブロック図を示し説明する。
【００７６】
本発明の第２の実施形態におけるプリンタ３００の構成を第１の実施形態におけるプリンタ１００との比較において説明すると、画像処理装置としてのプリンタ３００には、プリンタ１００の認証情報作成部１０３の代わりに、認証状態情報作成部３０１がある。さらに、装置状態変化検出部３０２がある。携帯端末４００には、携帯端末２００の認証情報取得部２０１の代わりに、認証状態情報取得部４０１がある。
【００７７】
プリンタ３００の認証状態情報作成部３０１は、認証情報作成部１０３と同様に認証情報を作成すると共に、認証情報にプリンタ３００の状態情報をさらに加えた認証状態情報を作成する。また、作成した認証状態情報を表示部としてのオペレーションパネル１０５に表示する。プリンタ３００の状態情報とは、印刷の実行が可能か不可能かを表す情報である。また、印刷が不可能な場合には、その原因も状態情報に含む。装置状態変化検出部３０２は、プリンタ３００において印刷の可能・不可能の状態が変化した場合に、認証状態情報作成部３０１に対し、認証状態情報の再作成を指示する。
【００７８】
携帯端末４００の認証状態情報取得部４０１は、プリンタ４００のオペレーションパネル１０５に表示された認証状態情報をカメラなどを利用して取得する。本実施形態において、オペレーションパネル１０５に表示される認証状態情報は二次元コードに変換されている。そのため、認証状態情報取得部４０１は、カメラにより撮影した二次元コードをデータとしての認証状態情報に再変換することにより取得する。
【００７９】
また、取得した認証状態情報に含まれる状態情報に基づき、プリンタ３００が印刷可能か不可能かを判断する。可能であれば、取得した認証状態情報は、プリンタ３００の状態情報を取り除くことにより認証情報に変換され、接続部２０２に渡される。また、読み取り結果を携帯操作部２０３に表示してもよい。不可能であれば、認証状態情報に含まれる印刷が不可能な原因を携帯操作部２０３に表示することにより、ユーザに通知する。本実施形態において、認証状態情報取得部４０１は２次元コード化読み取りアプリケーションアイコンとして実装されている。
【００８０】
即ち、認証状態情報取得部４０１は、表示部としてのオペレーションパネル１０５に表示された認証状態情報を取得し、状態情報に基づき携帯操作部２０３にプリンタ３００の状態を表示させ、利用者へプリンタ３００の状態を通知する。
【００８１】
図１１には、本発明の第２の実施形態におけるプリンタ３００の認証状態情報作成部３０１、装置状態変化検出部３０２、及び、認証情報再作成指示部１０４が動作し、認証状態情報を作成し、さらに、オペレーションパネル１０５に表示する動作を表すフローチャートを示し説明する。この動作は、プリンタ３００の起動直後から動作、もしくは、プリンタ３００のオペレーションパネル１０５を利用するユーザからの指示により動作を開始する。それぞれのステップについて説明する。なお、Ｓ２０４からＳ２０９の動作は、図２のＳ１０４からＳ１０９の動作と同等であるため、説明を省略する。
【００８２】
プリンタ３００の認証状態情報作成部３０１は、認証情報にプリンタ３００の状態情報を追加した認証状態情報を作成する（Ｓ２０１）。状態情報には、プリンタ３００が印刷可能か不可能か、及び不可能な場合にはその原因の情報が追加される。
【００８３】
本実施形態に係る画像処理装置において、状態情報はプリンタ３００のＵＲＬに追記される。例えば印刷が可能な場合には、「http://192.168.0.1/ComfidentialPrint/1234567890?PRINTABLE=TRUE」となり、また、プリンタ３００に印刷のための用紙がないため印刷が不可能な場合は、「http://192.168.0.1/ComfidentialPrint/1234567890? PRINTABLE=FALSE&REASON="トレイに用紙がありません。"」となる。"PRINTABLE"引数の"TRUE"もしくは"FALSE"は印刷可能、もしくは不可能を表す。"REASON"引数の内容は印刷不可能の原因の情報である。
【００８４】
認証状態情報作成部３０１は、Ｓ２０１で作成した認証状態情報を、認証情報保存部１０６に保存する。このとき、認証状態情報から状態情報を取り除き、認証情報として保存する（Ｓ２０２）。
【００８５】
続いて、認証状態情報作成部３０１がＳ２０１で作成した認証状態情報をオペレーションパネル１０５に表示する（Ｓ２０３）。ここで、認証状態情報は２次元コード化されオペレーションパネル１０５に表示される。本実施形態に於いては、認証状態情報に含まれる識別情報と有効期限を組合せ、例えば、「http://192.168.0.1/ComfidentialPrint/1234567890?PRINTABLE=TRUE&有効期限=2010/06/01_12:00:20」または、「http://192.168.0.1/ComfidentialPrint/1234567890?PRINTABLE= FALSE&REASON="トレイに用紙がありません。"&有効期限=2010/06/01_12:00:20」という文字列を２次元コード化して、オペレーションパネル１０５に表示する。
【００８６】
Ｓ２０４からＳ２０９の動作は、図２のＳ１０４からＳ１０９の動作と同等であり、有効期限が切れた認証情報がなければ（Ｓ２０７をＮｏに分岐）、或いはＳ２０８の後、認証情報再作成指示部１０４は、Ｓ２０１で認証状態情報作成部３０１が認証状態情報を作成してから一定時間（例えば５秒）経過したのかを判断する（Ｓ２０９）。そして、一定時間経過していないのであれば、プリンタ３００の装置状態変化検出部３０２は、プリンタ３００の印刷の可能・不可能という状態が変化したことを検出する（Ｓ２１０）。プリンタの状態に変化があった場合は、Ｓ２０１の動作を行い、変化がなかった場合は、Ｓ２０４の動作を行う。
【００８７】
本実施形態において、認証情報にプリンタ３００の状態情報が追加され、プリンタ３００のオペレーションパネル１０５には、プリンタ３００の状態を含む認証状態情報が２次元コード化されて表示される。また、装置状態変化検出部３０２により、プリンタ３００の状態が変化した場合にも２次元コード化された認証状態情報を書き換える。
【００８８】
図１２には、本発明の第２の実施形態に係る画像処理システムにおいて、携帯端末４００の認証状態情報作成部３０１がオペレーションパネル１０５に表示された２次元コード化された認証状態情報を取得し、プリンタ３００にアクセスする動作を表すフローチャートを示し説明する。このフローは、ユーザが例えば携帯端末４００を操作し、認証情報の読み取り指示を出すことにより動作を開始する。尚、Ｓ２２５からＳ２３３の動作は、図５のＳ１２２からＳ１３０の動作と同じであるため説明を省略する。
【００８９】
携帯端末４００の認証状態情報取得部４０１は、携帯端末４００のカメラ等を利用し、プリンタ３００のオペレーションパネル１０５に表示された２次元コード化された認証状態情報を取得する。取得した２次元コード化された認証状態情報を、データとしての認証状態情報に再変換する（Ｓ２２１）。
【００９０】
認証状態情報取得部４０１は、Ｓ２２１で取得した認証状態情報からプリンタ３００の状態情報だけを取り出す。本実施形態において取り出した状態情報は、「PRINTABLE=TRUE」、または、「PRINTABLE=FALSE&REASON="トレイに用紙がありません。"」となる。状態情報からプリンタ３００が印刷可能か否かを判断する（Ｓ２２２）。ここでは、「PRINTABLE」引数の内容を調査する。印刷が可能な場合（PRINTABLE=TRUEの場合）はＳ２２５の動作を行う。印刷が不可能な場合（PRINTABLE=FALSEの場合）は、Ｓ２２３の動作を行う。尚、Ｓ２２３以降の動作では認証状態情報からプリンタ３００の状態情報を取り除き、認証情報として扱っても構わない。
【００９１】
認証状態情報取得部４０１は、プリンタ３００が印刷不可能であるとユーザに警告すると共に、その原因を通知する警告画面を表示する（Ｓ２２３）。図１３に携帯操作部２０３に表示される警告画面の例を示す。携帯操作部２０３には、メッセージ２４１、継続ボタン２４２、再読み取りボタン２４３、及び終了ボタン２４４が表示される。メッセージ２４１は、状態情報に含まれる印刷不可能の原因の情報（本実施例では"REASON"引数の内容）である。この画面でユーザは、継続ボタン２４２、再読み取りボタン２４３、もしくは終了ボタン２４４を押下する。
【００９２】
続いて、認証状態情報取得部４０１は、図１３に示すような警告画面でユーザが継続ボタン２４２、再読み取りボタン２４３、終了ボタン２４４のいずれを押下したのかを判断する。継続ボタンが押下されたのならばＳ２２５の動作を行い、再読み取りボタン２４２が押下されたのならばＳ２２１の動作を行い、終了ボタン２４３が押下されたのならば一連の処理を終了する。
【００９３】
このように、プリンタ３００の状態情報を含む認証状態情報を携帯端末４００で読み取ることで、携帯端末４００のユーザにプリンタ３００の状態を通知することができる。また、携帯操作部２０３が認証状態情報を読み取り、プリンタ３００が印刷不可能である場合、その状態をユーザに通知することができる。これにより、ユーザが印刷不可能な状態にあるプリンタ３００への印刷指示を防止することができる。
【００９４】
本実施形態において、認証状態情報に含まれるプリンタ３００の状態情報として印刷の可能・不可能という状態を挙げて説明したが、この限りではない。消耗品の残量等であっても構わない。また、携帯端末４００は状態情報に基づき、携帯操作部２０３に状態情報を継続して表示しても構わない。
【００９５】
認証情報と、画像処理装置の状態情報と、を含む認証状態情報を作成し、表示部としてのオペレーションパネル１０５に表示させる認証状態情報作成部３０１と、画像処理装置の状態変化を検出すると、認証状態情報作成部３０１に認証状態情報の再作成を指示する装置状態変化検出部３０２とを更に有し、携帯端末４００は、表示部としてのオペレーションパネル１０５に表示された認証状態情報を取得し、状態情報に基づき携帯操作部２０３に画像処理装置としてのプリンタ３００の状態を表示させ、利用者へ画像処理装置の状態を通知する認証状態情報取得部４０１を更に有することを特徴とする画像処理システムが提供される。ここで、状態情報とは、画像形成部としての印刷部１０２の動作の可能ないしは不可能状態を表すこととしてよい。
【００９６】
以上詳細に説明したとおり、本発明の第２の実施形態によれば、プリンタ３００は認証情報にプリンタ３００の状態情報を追加することにより携帯端末４００にプリンタ３００の状態を通知し、携帯端末４００は携帯操作部２０３にプリンタ３００の状態を表示することができるため、ユーザは携帯端末４００でプリンタ３００の状態の異常時にプリンタ３００の状態を知ることができ、ユーザは印刷が不可能なプリンタ３００に対して印刷指示を出すことができなくなるため、ユーザの利便性がさらに向上するという効果がある。
【００９７】
本発明の第１、第２の実施形態では、画像処理装置としてプリンタを例に挙げて説明したが、これに限るものではない。コピー装置、MFP（Multi Function Peripheral）装置等、印刷データを印刷できる装置であればよい。また、画像形成装置と情報処理装置が一体となった形態であっても構わない。本発明第１、第２の実施形態では、携帯端末から画像処理装置としてのプリンタへの情報の送信方法として、ＵＲＬの引数を利用する方法を例に挙げて説明したがこれに限るものではない。携帯端末からプリンタに情報を送信できる方法であればよい。
【符号の説明】
【００９８】
１００  プリンタ
１０１  認証印刷データ保存部
１０２  印刷部
１０３  認証情報作成部
１０４  認証情報再作成指示部
１０５  オペレーションパネル
１０６  認証情報保存部
１０７  接続応答部
２００  携帯端末
２０１  認証情報取得部
２０２  接続部
２０３  携帯操作部
３００  プリンタ
３０１  認証状態情報作成部
３０２  装置状態変化検出部
４００  携帯端末
４０１  認証状態情報取得部
【図１】
0005548607.tif 000002
【図２】
0005548607.tif 000003
【図３】
0005548607.tif 000004
【図４】
0005548607.tif 000005
【図５】
0005548607.tif 000006
【図６】
0005548607.tif 000007
【図７】
0005548607.tif 000008
【図８】
0005548607.tif 000009
【図９】
0005548607.tif 000010
【図１０】
0005548607.tif 000011
【図１１】
0005548607.tif 000012
【図１２】
0005548607.tif 000013
【図１３】
0005548607.tif 000014